(57)【要約】      （修正有）【課題】ロック解除照合のプロテクト性を強化して、安全性を高めるための入力照合方法を提供する。【解決手段】入力照合方法は、検知手段、タイミング手段、記録手段、暗証コード照合手段及び時間間隔照合手段を備える。検知手段は、使用者が入力した解除データ（ＤＤ）を検知し読み取る。タイミング手段は、各解除コード（ＤＣ）の間の経過時間に対応する解除時間間隔（ＤＩ）を計算する。記録手段は、所定の暗号化データ（ＥＤ）及び対応する暗号化時間間隔（ＥＩ）、ＤＤ及びその各ＤＣ間の対応するＤＩを記憶する。暗証コード照合手段は、ＥＤをもって使用者が入力したＤＤが同一であるか否かを照合し、使用者が入力したＤＤの正確性を判断する。時間間隔照合手段は、使用者が予め設定した許容度により複数の許容区間（ＴＩ）を計算し、使用者が入力したＤＩが対応するＴＩにあるか否かに基づいて、使用者が入力したＤＤが正確であるか否かを更に判断する。【選択図】図１
2018041452.tif 000002
【特許請求の範囲】
【請求項１】
使用者が入力した暗証コードデータの正確性を照合するための入力照合方法であって、
使用者が入力した解除データを検知し読み取るための検知手段と、
前記解除データ中の各解除コードの対応する入力時点をもって、各解除コード間の経過した対応する解除時間間隔を計算するためのタイミング手段と、
所定の暗号化データと、前記暗号化データ中の暗号化コード間毎の所定の対応する暗号化時間間隔とを記憶し、及び上記使用者が入力した前記解除データ及びその各解除コード間の対応する解除時間間隔を記憶する記録手段と、
前記暗号化データをもって使用者が入力した前記解除データが同一であるか否か照合することで、使用者が入力した前記解除データ照合の正確性を判断する暗証コード照合手段と、
使用者が予め設定した許容度により各暗号化時間間隔中にて特定演算して各暗号化時間間隔の対応する複数の許容区間を生成するとともに、使用者が入力した前記解除時間間隔が対応する前記許容区間にあるか否かにより、使用者が入力した解除データが正確であるか否かを更に判断する時間間隔照合手段と、を備える、入力照合方法。
【請求項２】
前記検知手段が実物キーボード、バーチャルキーボードパネル、タッチコントロール装置及び手書き入力パネル等のうちの一つ又はその組合わせである、請求項１に記載の入力照合方法。
【請求項３】
前記解除データ及び前記暗号化データが中国語コード、英語コード、特定書き順及び座標位置等のうちの一つ又はその組合わせである、請求項１に記載の入力照合方法。
【請求項４】
前記タイミング手段がＣＰＵ、ＭＰＵ又はＭＵＣ等のうちの一つ又はその組合わせである、請求項１に記載の入力照合方法。
【請求項５】
前記記録手段がＨＤＤ、ＵＳＢメモリ、繰り返し書込み可能な記憶メディア及びクラウドＨＤＤ等のうちの一つ又はその組合わせである、請求項１に記載の入力照合方法。
【請求項６】
前記許容度が０〜１の間の実数である、請求項１に記載の入力照合方法。
【請求項７】
前記許容区間の下限が前記暗号化時間間隔×（１−前記許容度）である、請求項６に記載の入力照合方法。
【請求項８】
前記許容区間の上限が前記暗号化時間間隔×（１＋前記許容度）である、請求項６に記載の入力照合方法。
【発明の詳細な説明】
【技術分野】
【０００１】
本発明は入力照合方法であって、特に暗証コード入力に対する時間間隔を照合根拠とする方法に関する。
【背景技術】
【０００２】
携帯装置が普及している現代社会において、スマートフォン、ＰＤＡ（（Ｐｅｒｓｏｎａｌ Ｄｉｇｉｔａｌ Ａｓｓｉｓｔａｎｔ）、タブレットＰＣ等の携帯型スマート電子装置が人々の生活における不可欠な部分となっているのは明らかである。よって、個人のプライバシー及び情報セキュリティ等の個人データの問題を考慮して、一般的に上記した個人の電子装置にはいずれも、この電子装置の所有者以外の人がその中のデータを盗み見したり、勝手に見ることができないように、ロック保護機構が設けられるか、又は電子装置の待機時にポケット又はバッグの中で誤ってタッチしてしまう不具合を防止するために、使用者がディスプレイ又はキー操作ツールにより電子装置のロック機構を解除する必要がある。比較的多見される電子装置のロック機構には暗証コードロック、パターンロック等の機密保護機構がある。使用者が電子装置のロックを解除したい場合、まず例えば、暗証コード又は解除パターン等を入力する照合機構により電子装置のロックを解除することができ、照合機構は使用者が入力した暗証コード又は解除パターンと所定の暗証コード又は解除パターンとを比較し、もし両者が一致するのであればロック機構を解除することができるものであって、これは多見され、しかも一定の安全性を有するロック解除方式である。しかしながら、携帯電話機を使用している間に、電子装置を長時間使用することで、特にスマートフォンを使用する場合にはタッチ画面上に汗の跡が残ったり、長時間使用して残された指紋跡、及び画面のひっかき傷などの痕が残ってしまうのを回避するのは難しく、そしてこのうち一部分の使用痕跡によっては意図的な者が推測してスマートフォンの暗証コード組合わせ及びパターンロック解除の軌跡を解読する可能性が有り、そして悪意のある者が更にスマートフォン中に記憶されている個人データを用いて不法情報及び金銭的な盗用が行われてしまう恐れがある。例えば、使用者の多くはスマートフォン中にショッピングアプリや、携帯電話番号で使用者の銀行口座での直接振込み及び入金を紐付けするアプリケーションをインストールしているため、スマートフォンを紛失又は盗難されたとき、携帯電話機を取得した悪意のある者が、ディスプレイ上に本来の所有者が残したロック解除痕跡により携帯電話機の機密保護機構を不当に解除する可能性があるため、携帯電話機が盗用されてこの紐付けされた対応する銀行口座内の預金が引き出されたり、又は携帯電話機中のアプリケーションにより買い物したり、代金振込み等といった金融に関する取引行為が行われ金銭が盗まれて、かなり大きな金銭的損失を被ってしまう恐れがある。
【発明の概要】
【発明が解決しようとする課題】
【０００３】
上記電子装置にてロック解除照合時に生じる秘匿性のセキュリティの穴に鑑み、本発明では、電子装置が盗用されて不法用途に用いられて被る経済的な損失、ひいては人身的な危険性を低減するために、操作が簡単で且つ安全で信頼性の高いロック解除方式を提供することを求める。
【０００４】
したがって、本発明では、所定の暗証コード又は特定パターンをロック解除の根拠とする以外に、所定の暗証コードの間毎の所定時間間隔及び所定の特定パターンのロック解除書き順の間毎の所定時間間隔をロック解除照合の照合データとすることを更に追加している。言い換えるならば、使用者が暗証コード及び特定パターンを入力する間、所定の暗証コードを正確に入力するか、特定パターンを描画してロック解除しなければならないばかりか、更に暗証コードを入力し、特定パターンを描画すると同時に、暗証コードを入力する毎の所定時間間隔に符合し、特定パターンを描画する間毎の所定時間間隔に符合しなければならず、このように、電子装置が盗難に遭ったとき、意図的な者がディスプレイ上に残された痕跡により、電子装置を解除できる暗証コード又は特性パターンを正確に推測したとしても、正確な入力時間間隔を知り得ずロック解除照合機構をパスできなくなるため、電子装置を解除する難度を効果的に向上し、ひいては簡便で、安全で信頼性高いロック解除方式を提供することができる。
【０００５】
本発明の目的は、前記した現在の電子装置のロック解除照合技術における安全性が不足しているという問題を克服し、ロック解除照合のプロテクト性を強化して、安全性を高めるための入力照合方法を提供するところにある。
【０００６】
本発明は、使用者が入力した暗証コードの正確性を照合するための入力照合方法であって、このうち使用者が入力した解除データを検知し読み取るための検知手段を備えており、前記検知手段は実物キーボード、バーチャルキーボードパネル、タッチコントロール装置及び手書き入力パネル等のうちの一つ又はその組合わせとすることができるため、その生成される解除コードは中国語コード、英語コード、特定書き順及び座標位置等のうちの一つ又はその組合わせとしてもよい。
【０００７】
前記解除データ中の各解除コードの対応する入力時点をもって、各解除コード間の経過した対応する解除時間間隔を計算するためのタイミング手段を更に備えており、このうち、前記タイミング手段はＣＰＵ、ＭＰＵ又はＭＵＣ等のうちの一つ又はその組合わせとすることができる。
【０００８】
及び、所定の暗号化データと、前記暗号化データ中の暗号化コード間毎の所定の対応する暗号化時間間隔とを記憶し、及び上記使用者が入力した前記解除データ及びその各解除コード間の対応する解除時間間隔を記憶する記録手段を備えており、前記記録段は、ＨＤＤ、ＵＳＢメモリ、繰り返し書込み可能な記憶メディア及びクラウドＨＤＤ等のうちの一つ又はその組合わせとすることができる。
【０００９】
しかも、暗証コード照合手段は前記暗号化データをもって使用者が入力した前記解除データが同一であるか否か照合することで、使用者が入力した前記解除データ照合の正確性を判断する。
【００１０】
最後に、時間間隔照合手段により、更に暗証コードの正確性を照合する。まず、使用者が予め設定した許容度により各暗号化時間間隔中にて特定演算して各暗号化時間間隔の対応する複数の許容区間を生成するが、このうち前記許容度は０〜１の間の実数であり、そして許容区間の演算法則とは前記暗号化時間間隔×（１−前記許容度）を許容区間の下限として、そして前記暗号化時間間隔×（１＋前記許容度）を許容区間の上限とするとともに、使用者が入力した前記解除時間間隔が対応する前記許容区間にあるか否かにより、使用者が入力した解除データが正確であるか否かを更に判断するというものである。
【００１１】
上記「発明の内容で」は主張する標的の範囲を限定するためのものではなく、本発明の各種態様の詳細な形態は、下記実施形態の段落にてより詳細に説明する。
【図面の簡単な説明】
【００１２】
【図１】暗証コード照合のフローチャートである。
【図２】暗証コード照合の手順である。
【図３】時間間隔照合の許容区間の概略図である。
【図４】本発明の第１の実施例の概略図である。
【図５】本発明の第２の実施例の概略図である。
【発明を実施するための形態】
【００１３】
本発明の技術内容、達成する目的及び効果を詳細に説明するために、ここでは実施例を挙げるとともに図面を合わせて詳細に説明する。
【００１４】
図１、図２及び図３に示すように、図１は暗証コード照合のフローチャートであり、図２は暗証コード照合の手順であり、図３は時間間隔照合の許容区間の概略図であって、図１及び図２の説明を同時に参照されたい。図１の各手順はいずれも図２の手順の詳細な説明に対応していることから、本発明の入力照合方法のはっきりした流れの概略、この流れに対応する手順の説明及びその各手順間の関係を明確化することができる。まず、フローチャートにおける検知手段１及び対応ステップＳ６０１の説明から分かるように、本発明の入力照合方法は、例えば中国語コード、英語コード、特定書き順及び座標位置等の使用者が入力した解除データＤＤを検知手段１により検知して読み取り、更にフローチャート中のタイミング手段２及び対応ステップＳ６０３により、タイミング手段２により上記した使用者が入力した解除データＤＤ中の各解除コードＤＣが対応する入力時点により、各解除コードの間の経過時間に対応する解除時間間隔ＤＩを計算する。このとき、フローチャート中の記録手段３及び対応ステップＳ６０５を参照して、記録手段３は一組の所定暗号化データＥＤ及びその中の各暗号化コードＥＣ間の所定対応する暗号化時間間隔ＥＩを記憶し、そして上記使用者が入力した解除データＤＤ及びその各解除コードＤＣ間の対応する解除時間間隔ＤＩと、所定の許容度ＴＤを合わせて記憶し、その後フローチャート中の暗証コード照合手段４及び対応ステップＳ６０７により暗号化データＥＤと使用者が入力した解除データＤＤとが同一であるかを照合することで、使用者が入力した解除データＤＤの正確性を判断する。もし暗号化データＥＤと使用者が入力した解除データＤＤとが同一であった場合、フローチャート中の時間間隔照合手段５及び対応ステップＳ６０９を参照して、まず使用者が予め設定した許容度ＴＤを各暗号化時間間隔ＥＩ中にて特定演算して各暗号化時間間隔ＥＩの対応する複数の許容区間ＴＩを生成するが、このうち、許容度ＴＤは０〜１の間の実数となっている。許容区間ＴＩの演算法とは、ＥＩ-（ＥＩ×ＴＤ）を下限として、ＥＩ+（ＥＩ×ＴＤ）を上限としてＴＩ=[ＥＩ-（ＥＩ×ＴＤ）,ＥＩ+（ＥＩ×ＴＤ）]で表されるクローズした許容区間を生成するため、使用者が入力した該解除時間間隔ＤＩが対応する許容区間ＴＩにあるか否かにより、使用者が入力した解除データＤＤが正確であるか否かを更に判断して、もし該対応する許容区間ＴＩに収まるのであればその結果を暗証コード照合が正確であるとして、反対であれば失敗とするものである。つまり暗証コード入力及び特定パターンの描画の過程において、入力過程中の所定の入力リズムとの差が明らかに大きすぎるのであれば、本発明の照合方法にて非法使用者として判定されることで、使用者の照合を保護する効果を強化することになる。
【００１５】
図４は本発明の第１の実施例の概略図である。図４から分かるように、本発明の入力照合方法は一般的に多見される、例えばスマートフォンに適用することができる。図４のスマートフォンの暗証コード入力のロック解除画面は、タッチパネルを検知手段１として、使用者が解除データＤＤを入力して携帯電話機のロック解除照合したいとき、本発明では暗証コード照合手段４により使用者が入力した解除データＤＤが所定の暗号化データＥＤと完全に符合するかを判断する以外に、更に解除データＤＤ中の各解除コードＤＣ１〜５間の各対応する解除時間間隔ＤＩを計算した後に、対応する許容区間ＴＩ内に収まるか否かを判断することで、該暗証コード入力が正確であるか否かを判定する。本図中のように、仮に解除コードＤＣ１から解除コードＤＣ２までの間で経過した解除時間間隔ＤＩ１が１０の時間単位であり、そして所定の暗号化時間間隔ＥＩが８の時間単位であり、所定の許容度が０.２５であった場合、つまり対応する許容区間ＴＩは[８-（８×０.２５）, ８+（８×０.２５）]=[６, １０]となるため、本例における解除時間間隔ＤＩ１である１０の時間単位は対応する許容区間ＴＩ内に収まる。このような具合に、ＤＣ２〜５もまた対応する許容区間ＴＩを計算して、もし対応する解除時間間隔ＤＩがいずれも対応する許容区間ＴＩ内に収まるのであれば、この暗証コード照合結果は正確であると判定するものであって、反対の場合もまた然りである。
【００１６】
図５に示すように、図５は本発明の第２の実施例の概略図であり、本発明の入力照合方法は一般的に多見される、例えばスマートフォンに適用することができる。例えば、図５のスマートフォンのパターン解除の照合画面にて分かるように、タッチパネルを検知手段１として、使用者が特定パターンを描画して携帯電話機のロック解除照合したいとき、上記暗証コード入力の実施例と同じく、暗証コード照合手段４により使用者が入力した解除データＤＤ（ここでは特定パターン軌跡）が所定の暗号化データＥＤ（ここでは特定パターン軌跡）と完全に符合するかを判断する以外に、更に解除データＤＤ中の各解除コードＤＣ１〜５間の各対応する解除時間間隔ＤＩを計算した後に、対応する許容区間ＴＩ内に収まるか否かを判断することで、該暗証コード入力が正確であるか否かを判定する。本図中のように、仮に使用者が解除コードＤＣ１を始点として、解除コードＤＣ２まで描画する間で経過した解除時間間隔ＤＩ１が１０の時間単位であり、そして所定の暗号化時間間隔ＥＩが８の時間単位であり、所定の許容度が０.２５であった場合、対応する許容区間ＴＩは[８−（８×０.２５）, ８+（８×０.２５）]=[６, １０]となるため、この解除時間間隔ＤＩ１である１０の時間単位は対応する許容区間ＴＩ内に収まり、その後解除コードＤＣ２及び解除コードＤＣ３の対応する許容区間ＴＩを引き続き計算して、もし所定の暗号化時間間隔ＥＩ２が４の時間単位であり、所定の許容度が０.２５であり、そしてＤＣ２と解除コードＤＣ３との間の解除時間間隔ＤＩ２が６の時間単位であった場合には、該解除時間間隔ＤＩ２は対応する許容区間ＴＩ［３，５］に収まらず、この暗証コード照合結果は失敗であると判断する。このように、全ての照合結果が完全に正確で電子装置のロックが解除されるまで、解除コードＤＣ２〜５の対応する解除時間間隔ＤＩ２〜４を計算して照合を繰り返すことで、より厳重で且つ安全な暗証コード照合機構を実現する。
【００１７】
本発明はすでに上記のとおり具体的な実施例を開示したが、開示した具体的な実施例は本発明を限定するためのものではなく、当業者であれば、本発明の技術思想及び範囲内で、各種変更及び付加を行うことができるものであって、その変更及び付加はいずれも本発明の範疇に属し、本発明の保護範囲は別紙の特許請求の範囲で規定されるものを基準とする。
【符号の説明】
【００１８】
１          検知手段
２          タイミング手段
３          記録手段
４          暗証コード照合手段
５          時間間隔照合手段
ＤＤ        解除データ
ＤＣ１〜５  解除コード
ＤＩ１〜５  解除時間間隔
ＥＤ        暗号化データ
ＥＣ        暗号化コー
ＥＩ        暗号化時間間隔
ＴＤ        許容度
ＴＩ        許容区間
【図１】
2018041452.tif 000003
【図２】
2018041452.tif 000004
【図３】
2018041452.tif 000005
【図４】
2018041452.tif 000006
【図５】
2018041452.tif 000007